(57)【要約】【目的】地上波ディジタル放送の導入に伴い地上波アナログ放送のチャンネルに変更が生じた場合でも、チャンネル変換後に対応した選局処理を行うことができる放送受信装置を提供する。【構成】第２メモリ２２には、地域番号に対応付けられたポジション−チャンネル設定テーブルが格納されている。更に、第２メモリ２２には、各地域のポジション−チャンネル設定テーブルに付随して予定情報テーブルが格納されている。予定情報とは、対応地域における地上波ディジタル放送開始に伴い決定されるに至ったアナログチャンネルの移行情報である。そして、例えば、リモコン送信機１９に設けられた変換ボタンがユーザによって操作されると、予定情報テーブルの内容をポジション−チャンネル設定テーブルに反映させる処理がサブＣＰＵ２１によって実行される。【選択図】                図１
2004304383.tif 000002
【特許請求の範囲】
【請求項１】
チャンネルとポジション番号との対応情報が記憶される第１記憶手段と、各地域ごとに各チャンネルの放送がどのチャンネルに変更されるかの予定情報が記憶された第２記憶手段と、ユーザによるチャンネル変換の許可を示す操作後に、前記第１記憶手段と第２記憶手段との両情報に基づいて或いは第２記憶手段の内容に基づいて書き換えた第１記憶手段の情報に基づいてチャンネル変換後に対応した選局処理を行う選局手段と、を備えたことを特徴とする放送受信装置。
【請求項２】
請求項１に記載の放送受信装置において、複数のポジションについて一括してチャンネル変換後に対応した選局処理が行われるように構成されたことを特徴とする放送受信装置。
【請求項３】
請求項１に記載の放送受信装置において、各ポジションごとにチャンネル変換後に対応した選局処理が行われるように構成されたことを特徴とする放送受信装置。
【請求項４】
請求項３に記載の放送受信装置において、ユーザによるポジション選択操作で選局されたチャンネルの有局判定を行い、有局でないと判定されたときに当該チャンネルが前記予定情報として存在するかどうかを判断し、存在するときにはチャンネル変換を促すメッセージを画面表示し、ユーザによるチャンネル変換の許可を示す操作後に、前記ポジションについてチャンネル変換後に対応した選局処理を行うように構成されたことを特徴とする放送受信装置。
【請求項５】
請求項１乃至請求項４のいずれかに記載の放送受信装置において、各地域ごとに各チャンネルの放送がどのチャンネルに変更されるかの日程を示した予定情報を記憶し、現在日時が前記予定情報で示される日時を経過していることを、チャンネル変換後に対応した選局処理を行うことの条件とするように構成されたことを特徴とする放送受信装置。
【請求項６】
請求項１乃至請求項５のいずれかに記載の放送受信装置において、チャンネル変換後に対応した選局処理により選局したチャンネルが有局でなかった場合に、元の状態に戻すかどうかを問うメッセージを画面表示し、ユーザによる戻り許可を示す操作がなされた場合は、チャンネル変換前の情報による選局処理を行うように構成されたことを特徴とする放送受信装置。
【発明の詳細な説明】
【０００１】
【産業上の利用分野】
この発明は、テレビジョン放送を受信できる放送受信装置に関する。
【０００２】
【従来の技術】
地上波を用いたディジタル放送を受信するディジタル放送受信装置は、地上波用アンテナを通して受け取った複数の放送波のなかから任意の放送波をディジタルチューナによって選択し、この選択した放送波に含まれる複数のチャンネルのなかから任意のチャンネルをデマルチプレクス処理によって選択し、この選択したチャンネルのディジタル信号を取り出し、これをデコードすることによって映像・音声信号を出力する。また、アナログ放送と地上ディジタル放送の両方を受信でき、ディジタル放送チャンネルによる変調妨害等の影響を排除するようにした技術が知られている（特許文献１参照）。
【０００３】
【特許文献１】
特開２００２−３７４４６９号公報
【０００４】
【発明が解決しようとする課題】
ところで、地上波ディジタル放送は、日本においては２００３年から放送を開始する予定となっている。地上波ディジタル放送に用いられるチャンネルはＵＨＦ（Ｕｌｔｒａ  Ｈｉｇｈ  Ｆｒｅｑｕｅｎｃｙ）帯であり、このＵＨＦ帯には従来の地上波アナログ放送と地上波ディジタル放送のチャンネルが混在することとなるが、地上波ディジタル放送に割り当てられるチャンネルは、地上波アナログ放送で使用されることが少ない１３〜３２ｃｈが中心となる予定である。
【０００５】
しかしながら、ある地域において地上波ディジタル放送用にチャンネルが配分できない場合には、地上波アナログ放送のチャンネルが変更される（この変更を以下アナ−アナ変換と称する）。例えば、地上波ディジタル放送が２０ｃｈを使用することになった場合、以前から２０ｃｈを使用していたＡ放送局の地上波アナログ放送は、例えば５０ｃｈに移動することになる。また、受信装置のポジション８に２０ｃｈが設定されている場合、同じポジションにおいて引き続きＡ放送局の番組を視聴するには、ポジション８に５０ｃｈを設定し直す必要がある。この設定を例えば業者（販売業者等）が各家庭を訪問して行うには、多大な費用や時間を費やすこととなる。もちろん、ユーザが自ら取り扱い説明書を参照して設定作業を行うこともできるが、設定作業は複雑であるため、作業不備による２次不良のおそれも予測される。
【０００６】
この発明は、上記の事情に鑑み、地上波ディジタル放送の導入に伴い地上波アナログ放送のチャンネルに変更が生じた場合でも、チャンネル変換後に対応した選局処理を行うことができる放送受信装置を提供することを目的とする。
【０００７】
【課題を解決するための手段】
この発明の放送受信装置は、上記の課題を解決するために、チャンネルとポジション番号との対応情報が記憶される第１記憶手段と、各地域ごとに各チャンネルの放送がどのチャンネルに変更されるかの予定情報が記憶された第２記憶手段と、ユーザによるチャンネル変換の許可を示す操作後に、前記第１記憶手段と第２記憶手段との両情報に基づいて或いは第２記憶手段の内容に基づいて書き換えた第１記憶手段の情報に基づいてチャンネル変換後に対応した選局処理を行う選局手段と、を備えたことを特徴とする。
【０００８】
上記の構成であれば、地上波ディジタル放送の導入に伴ってアナ−アナ変換が行われた場合でも、前記予定情報を利用してチャンネル変換後に対応した選局処理を行うことができる。
【０００９】
複数のポジションについて一括してチャンネル変換後に対応した選局処理が行われるように構成されていてもよい。
【００１０】
各ポジションごとにチャンネル変換後に対応した選局処理が行われるように構成されていてもよい。かかる構成において、ユーザによるポジション選択操作で選局されたチャンネルの有局判定を行い、有局でないと判定されたときに当該チャンネルが前記予定情報として存在するかどうかを判断し、存在するときにはチャンネル変換を促すメッセージを画面表示し、ユーザによるチャンネル変換の許可を示す操作後に、前記ポジションについてチャンネル変換後に対応した選局処理を行うように構成されていてもよい。
【００１１】
また、これらの構成を有する放送受信装置において、各地域ごとに各チャンネルの放送がどのチャンネルに変更されるかの日程を示した予定情報を記憶し、現在日時が前記予定情報で示される日時を経過していることを、チャンネル変換後に対応した選局処理を行うことの条件とするように構成されていてもよい。
【００１２】
また、チャンネル変換後に対応した選局処理により選局したチャンネルが有局でなかった場合に、元の状態に戻すかどうかを問うメッセージを画面表示し、ユーザによる戻り許可を示す操作がなされた場合は、チャンネル変換前の情報による選局処理を行うように構成されていてもよい。
【００１３】
【発明の実施の形態】
以下、この発明の実施形態を図１乃至図３に基づいて説明するが、ここでは地上波ディジタル放送及び地上波アナログ放送の両方を受信するディジタル・アナログ放送受信装置を例示している。
【００１４】
図１は地上波ディジタル放送と地上波アナログ放送の両方を受信するこの実施形態の放送受信装置３０を示したブロック図であり、図２はアナ−アナ変換でチャンネルに変更が生じた場合を想定したテーブル内容を示した説明図であり、図３はアナ−アナ変換に対応する処理を示したフローチャートである。
【００１５】
図１において、地上波アンテナ１は地上放送波を受信し、受信信号を地上波ディジタルチューナ２および地上波アナログチューナ４に与える。各チューナは、選局処理回路やミキサ（混合器）などを備えて成る。ミキサは希望チャンネルの信号と局部発振信号とを混合して中間周波数信号を生成する。局部発振信号を生成する回路は例えば印加電圧によって容量が変化する可変容量ダイオード等を備えて成り、ミキサから一定の中間周波数の信号が出力されるように、希望チャンネルの周波数に対応させて変化させた局部発振信号を生成する。選局処理回路は、各チャンネルに対応した印加電圧（同調電圧）のデータを例えば第１メモリ１３や第２メモリ２２から受け取り、図示しないＤ／Ａ変換器によって上記データをアナログ信号化（電圧化）して可変容量ダイオードに与える。
【００１６】
地上波ディジタルチューナ２は、上述した選局処理により、映像・音声データを含む高周波ディジタル変調信号のうちから特定周波数の信号を取り出すことになる。更に、地上波ディジタルチューナ２は、逆インタリーブ回路、誤り訂正回路、復調回路などを備えることにより、選択したディジタル変調信号を復調してトランスポート・ストリームを出力する。
【００１７】
デマルチプレクサ（ＤＥＭＵＸ）６は、地上波ディジタルチューナ２から受け取ったトランスポート・ストリームを、ＭＰＥＧ２（Ｍｏｖｉｎｇ  Ｐｉｃｔｕｒｅ  Ｅｘｐｅｒｔｓ  Ｇｒｏｕｐ２）のビデオストリーム、オーディオストリーム、およびＰＳＩ／ＳＩ（Ｐｒｏｇｒａｍ  Ｓｐｅｃｉｆｉｃ  Ｉｎｆｏｒｍａｔｉｏｎ／Ｓｅｒｖｉｃｅ  Ｉｎｆｏｒｍａｔｉｏｎ）に分離復号する。デマルチプレクサ６は、ビデオストリームとオーディオストリームをＡＶデコーダ７に供給し、ＰＳＩ／ＳＩに含まれるサービス情報をメインＣＰＵ１８に供給する。なお、前述のごとく、トランスポート・ストリームには複数のチャンネルが多重化されており、このなかから任意のチャンネルを選択するための処理は、前記ＰＳＩ／ＳＩから任意のチャンネルがトランスポート・ストリーム中でどのパケットＩＤで多重化されているかといったデータを取り出すことで可能となる。
【００１８】
ＡＶデコーダ７は、ビデオストリームに対してデコードを行うビデオデコーダ、及びオーディオストリームに対してデコードを行うオーディオデコーダを備える。ビデオデコーダは、入力された可変長符号を復号して量子化係数や動きベクトルを求め、逆ＤＣＴ変換や動きベクトルに基づく動き補償制御などを行う。オーディオデコーダは、入力された符号化信号を復号して音声データを生成する。デコードにより生成された映像データは映像処理回路８に出力され、音声データは音声処理回路９に出力される。
【００１９】
映像処理回路８はＡＶデコーダ７から映像データを受け取り、Ｄ／Ａ変換を行って映像信号を生成する。音声処理回路９はＡＶデコーダ７から出力された音声データを受け取り、Ｄ／Ａ変換を行ってアナログ音声信号を生成する。
【００２０】
映像音声処理部５は、地上波アナログチューナ４から供給された受信信号を復調して映像信号及び音声信号を生成する。
【００２１】
ＯＳＤ（オンスクリーンディスプレイ）回路１５は、メインＣＰＵ１８から出力指示された文字情報のビットマップデータに基づく映像信号を加算器１６又は加算器１７に出力する。加算器１６及び加算器１７は前記ビットマップデータに基づく映像信号を受信映像信号に組み込み、この映像信号をドライブ回路１０に供給する。ＯＳＤ回路１５により、メニュー画面や各種設定画面などの表示が行えることになる。
【００２２】
受像管１１はドライブ回路１０から供給された映像信号（Ｒ，Ｇ，Ｂ信号及び垂直・水平同期信号）により映像表示を行う。また、スピーカ１２は音声信号を入力して音声出力を行う。
【００２３】
メインＣＰＵ１８は、地上波ディジタルチューナ２に対する選局や有局チャンネルサーチ等の制御、第１メモリ（ＲＡＭ、ＲＯＭ、ＥＥＰＲＯＭ等）１３における情報の書込／読出の制御、デマルチプレクサ６に対する制御、ＡＶデコーダ７に対する制御、ＯＳＤ回路１５に対する制御、サブＣＰＵ２１に対する指令などを行うようになっている。
【００２４】
リモコン送信機１９は、当該放送受信装置３０に指令を送出するための送信機である。このリモコン送信機１９に設けられた図示しないキーを操作すると、そのキーに対応した指令を意味する信号光（リモコン信号）が図示しない発光部から送出される。リモコン受光器２０は、前記信号光を受光し、これを電気信号に変換してサブＣＰＵ２１に与える。
【００２５】
サブＣＰＵ２１は、上記リモコン送信機１９によるリモートコントロール信号や図示しない操作部のキー操作による信号を入力してメインＣＰＵ１８に通知する処理等を行う他、地上波アナログ放送の有局／無局判定処理も行うようになっている。この有局／無局判定処理は、例えば、受信チャンネルにおいて検波後の映像信号に水平同期信号が一定値以上含まれるかどうか等によって行うことができる。
【００２６】
書換可能な不揮発性メモリである第２メモリ（ＥＥＰＲＯＭ等）２２には、図２（ａ）に示しているように、地域番号に対応付けられたポジション−チャンネル設定テーブル２２Ａが格納されている。更に、第２メモリ２２には、各地域のポジション−チャンネル設定テーブル２２Ａに付随して予定情報テーブル２２Ｂが格納されている。予定情報とは、対応地域における地上波ディジタル放送開始に伴い決定されることに至ったアナログチャンネルの移行情報である。そして、図２（ｂ）に示しているように、予定情報テーブル２２Ｂの内容をポジション−チャンネル設定テーブル２２Ａに反映させる処理がサブＣＰＵ２１によって実行されるようになっている。なお、予定情報テーブル２２Ｂについては、ＲＯＭに格納しておいてもよい。また、ポジション−チャンネル設定テーブル２２ＡについてもＲＯＭに格納しておき、第２メモリ２２には変更内容情報（例えば、「ポジション１については予定情報テーブル２２Ｂを参照する」といった情報）を格納するようにしてもよい。
【００２７】
また、通常は、上記地域番号に基づいてチャンネル設定が行われるが、ユーザによる個別設定操作でチャンネル設定を行うこともできる。サブＣＰＵ２１は、個別設定操作がなされるときには、そのチャンネル設定に基づき、チャンネルとポジション番号との対応表を生成して第２メモリ２２に記憶することになる。
【００２８】
放送受信装置３０は、図３のフローチャートに示すように、リモコン信号等によるチャンネル変更指示を判断し（ステップＳ１）、変更指示があればそのチャンネルを受信するためのチューニング処理を行う（ステップＳ２）。そして、このチューニングしたチャンネルが有局かどうかを判断する（ステップＳ３）。有局でないときには、予定情報が存在するかどうかを判断する（ステップＳ４）。ここで、現在、ユーザにより設定されているチャンネルは、図２（ａ）に示したポジション−チャンネル設定テーブル２２Ａのとおりであるとする。そして、ポジション１を選択する指令を受けたが、その対応チャンネルである１５ｃｈが無局であったとする。この場合、サブＣＰＵ２１はポジション−チャンネル設定テーブル２２Ａに対応付けられている予定情報テーブル２２Ｂ内に、１５ｃｈについての予定情報が存在するかどうかを判断することになる。図２の場合、１５ｃｈの変更先は４０ｃｈであるとの予定情報が存在するので、前記ステップＳ４においてはＹＥＳの判定がなされる。
【００２９】
ステップＳ４でＹＥＳの判定がなされたら、ＯＳＤ回路１５を作動させ、例えば、「アナ−アナ変換予定ではチャンネルの変更先は４０ｃｈです。変更しますか」といったメッセージ及び例えば「ＹＥＳ  ＮＯ」のボタンをＯＳＤ表示する。そして、ユーザによる変更許可指令がなされたかどうかを判断する（ステップＳ６）。ユーザが前記「ＹＥＳ」のボタン操作を行ったときには（ステップＳ６でＹＥＳ）、チャンネル変換処理、すなわち、図２（ｂ）に示したごとく、ポジション−チャンネル設定テーブル２２Ａを予定情報テーブル２２Ｂに基づいて書き換える処理、或いは、ポジション１については予定情報テーブル２２Ｂを参照するといった情報の書込処理を行う（ステップＳ７）。
【００３０】
なお、上記の処理例では、無局チャンネルが選局されてそれに対応する予定情報が存在するときに、変更を促すメッセージを表示させ、これに促されてユーザが変更指示を出したときにチャンネル変換処理を行うこととしたが、例えば、リモコン送信機１９に一括変換ボタンを設けておき、このボタンが操作されたときに、ポジション−チャンネル設定テーブル２２Ａを予定情報テーブル２２Ｂに基づいて一括して書き換える処理、或いは、全対応ポジションについて予定情報テーブル２２Ｂを参照するといった情報の書込処理を行うようにしてもよい。ただし、各チャンネルのアナ−アナ変換時期が同じ日であることは稀であり、図３のフローチャートに示したごとく、個別のチャンネル変換とするのが望ましい。
【００３１】
また、アナ−アナ変換の日程が決定されているのであれば、この日程情報を予定情報としてメモリに記憶しておいてもよい。そして、例えば、図３のフローチャートに示したステップＳ４において、チャンネルの変更先に関する予定情報が存在する場合で且つ現在日時が上記日程情報による日時以降である場合に、ステップＳ５に進み、前記メッセージを表示してユーザに変更指示を促すようにするのがよい。また、現在日時が上記日程情報による日時以降であり、且つ、変更されるべきチャンネルが変更処理されていない場合において、例えば、テレビＯＮ時の一定期間（例えば、１０秒程度）に、チャンネル変換を促すメッセージをＯＳＤ表示するようにしてもよい。また、時間帯によっては、停波中の場合もあり得るものであり、この場合には有局であっても無局であるとの判定がなされるおそれがあるので、所定の時間帯においてはたとえ無局と判定されても上記チャンネル変換にかかる一連の処理は行わないようにしてもよいものである。
【００３２】
また、前述したフローチャートのステップＳ７による変換処理後の受信チャンネルについて有局かどうかの判断を行うようにしてもよい。そして、チャンネル変換後に対応した選局処理により選局したチャンネルが有局でなかった場合に、元の状態に戻すかどうかを問うメッセージを画面表示し、ユーザによる戻り許可を示す操作がなされた場合は、チャンネル変換前の情報による選局処理を行うように構成されていてもよい。図２（ｂ）において、ポジション１の選択状態で４０ｃｈの選局を行った場合であれば、予定情報テーブル２２Ｂに基づいて、４０ｃｈに対応する元のチャンネルは１５ｃｈであることが判断できるので、ポジション１に１５ｃｈを対応させるように処理すればよい。
【００３３】
【発明の効果】
以上説明したように、この発明によれば、地上波ディジタル放送の導入に伴い地上波アナログ放送のチャンネルに変更が生じた場合でも、チャンネル変換後に対応した選局処理を行うことができるという効果を奏する。
【図面の簡単な説明】
【図１】この発明の実施形態のディジタル・アナログ放送受信装置を示したブロック図である。
【図２】アナ−アナ変換でチャンネルに変更が生じた場合を想定したテーブル内容を示した説明図である。
【図３】アナ−アナ変換に対応する処理を示したフローチャートである。
【符号の説明】
１    アンテナ
２    地上波ディジタルチューナ
４    地上波アナログチューナ
５    アナログ映像音声処理部
６    デマルチプレクサ（ＤＥＭＵＸ）
７    ＡＶデコーダ
１５  ＯＳＤ回路
１６  加算器
１７  加算器
１８  メインＣＰＵ
２１  サブＣＰＵ
２２  第２メモリ
【図１】
2004304383.tif 000003
【図２】
2004304383.tif 000004
【図３】
2004304383.tif 000005